(57)【要約】【課題】給水・給湯配管への取付け作業時だけでなく、各種メンテナンスを行うための取り外し作業時にも、作業手数の削減化及び制約スペース内での作業の容易化に寄与する機能を発揮させることができるよういする。【解決手段】偏心管本体８を、配管への接続ねじ部１５及び第２水路部１６を有する固定管９に対して、第２水路部１６の軸線ｂの周りに回動可能に組み付けてなるクランク状の混合栓用偏心管６（７）において、偏心管本体８と固定管９との間に、ねじ込み方向及び弛み方向への偏心管本体８の回動時には固定管９が一体回動し、それら方向とは逆方向への回動時には偏心管本体８のみが回動するように、両方向に切換可能な一方向回転クラッチ式係合機構が介在されている。【選択図】      図２
2004285653.tif 000002
【特許請求の範囲】
【請求項１】
一端側に混合栓本体に対する接続部を有するとともに、その接続部の軸線に対して直交する方向に延びる第１水路部を有する偏心管本体と、一端側に給水・給湯配管にねじ込み固定される接続ねじ部を有するとともに、その接続ねじ部の軸線の方向に延びる第２水路部を有する固定管とを備え、前記偏心管本体の他端側に前記固定管の他端側を第１水路部の軸線と第２水路部の軸線とが互いに直交し、かつ、両水路部が連通する状態に嵌合保持させることにより、偏心管本体を固定管に対して前記第２水路部の軸線の周りに回動可能に組み付けてなる混合栓用偏心管において、
前記固定管の他端外周部の全域には周方向に等間隔で複数の被係合部が形成されている一方、前記偏心管本体の他端部には前記被係合部に互いに異なる方向から弾性的に係合する二つの係合爪が被係合部に対して係合切換可能に設けられており、
一方の係合爪を被係合部の一つに弾性係合させた第１状態では、偏心管本体を第２水路部の軸線の周りで前記接続ねじ部のねじ込み方向と同一方向に回動させたとき、固定管が同方向に一体に回動し、また、前記接続ねじ部の弛み方向と同一方向に回動させたとき、偏心管本体のみが回動し、
かつ、他方の係合爪を被係合部の一つに弾性係合させた第２状態では、偏心管本体を第２水路部の軸線の周りで前記接続ねじ部の弛み方向と同一方向に回動させたとき、固定管が同方向に一体に回動し、また、前記接続ねじ部のねじ込み方向と同一方向に回動させたとき、偏心管本体のみが回動するように構成されていることを特徴とする混合栓用偏心管。
【請求項２】
前記二つの係合爪は、支軸の周りに揺動自在に枢支された単一の揺動レバーの揺動方向の両側に形成され、この単一揺動レバーの支軸周りの揺動によって前記第１状態と第２状態とに切換操作可能に構成されている請求項１に記載の混合栓用偏心管。
【請求項３】
前記偏心管本体の一端側の第１水路部にはストレーナが交換可能に内蔵されている一方、前記固定管の他端側内部には流量調整栓部が設けられている請求項１または２に記載の混合栓用偏心管。
【発明の詳細な説明】
【０００１】
【発明の属する技術分野】
本発明は、湯水混合栓における栓本体と給水用あるいは給湯用配管とを接続する場合に用いられる混合栓用偏心管に関するものである。
【０００２】
【従来の技術】
この混合栓用偏心管は、一端側に混合栓本体に対する接続部を有するとともに、その接続部の軸線に対して直交する方向に延びる第１水路部を有する偏心管本体と、一端側に給水・給湯配管にねじ込み固定される接続ねじ部を有するとともに、その接続ねじ部の軸線の方向に延びる第２水路部を有する固定管とを備え、前記偏心管本体の他端側に前記固定管の他端側を第１水路部の軸線と第２水路部の軸線とが互いに直交し、かつ、両水路部が連通する状態に嵌合保持させることにより、偏心管本体を固定管に対して前記第２水路部の軸線の周りに回動可能に組み付けて全体がクランク状に折れ曲がった形態に構成されている。
【０００３】
そして、このクランク状に折れ曲がった偏心管を用いて給水・給湯配管と混合栓本体を現場で接続するにあたっては、まず、固定管側の接続ねじ部を給水・給湯配管にねじ込み固定した後、偏心管本体の一端側の接続部を混合栓本体に袋ナット等を介して接続するといった順序の取付け作業要領が採られる。この場合、固定管側の接続ねじ部を給水・給湯配管にねじ込み開始する位置にはばらつきが生じやすく、それに起因して、ねじ込みが完了した時点での偏心管本体の接続部の位置と混合栓本体側の接続部の位置とがぴったりと合致することは稀であり、ほとんどの場合、両接続部の位置はずれている。そのため、一旦ねじ込んだ固定管側の接続ねじ部を配管から取り外し、ねじ込み開始位置を変えて再度ねじ込むといった具合に、前記両接続部の位置が合致するまで固定管側の接続ねじ部の取り外し及びねじ込みを何回となく繰り返す必要があり、所定の取付け作業に多大かつ面倒な手数と時間を要するという問題がある。
【０００４】
このような取付け作業に纏わる問題を解決するために、従来、偏心管本体と固定管との第２水路部軸線の周りでの相対回動部に、偏心管本体を固定管側の接続ねじ部のねじ込み方向と同一方向に回動させたとき、固定管が同方向に一体に回動し、また、接続ねじ部の弛み方向と同一方向に回動させたとき、偏心管本体のみが回動するといった、例えばラチェット機構等のような一方向回転クラッチ式の噛み合い機構を設けたものが知られている（例えば、特許文献１参照）。
【０００５】
【特許文献１】
特許第３２９４８３０号公報（図１３、図１４）
【０００６】
【発明が解決しようとする課題】
上記のような一方向回転クラッチ式の噛み合い機構を設けた従来の混合栓用偏心管では、偏心管本体を固定管側の接続ねじ部のねじ込み方向と同一方向に回動させると、噛み合い機構の噛み合いにより固定管が同方向に一体に回動して該固定管側の接続ねじ部が給水・給湯配管にねじ込み固定される。そして、そのようなねじ込みが完了した時点で偏心管本体の接続部の位置と混合栓本体側の接続部の位置とが合致していなかった場合は、偏心管本体を固定管側の接続ねじ部の弛み方向と同一方向に回動させると、噛み合い機構の噛み合いが解除されて偏心管本体のみが回動されて前記両接続部の位置を合致させることが可能である。このように、給水・給湯配管と混合栓本体を偏心管を用いて現場で接続する取付け作業時、偏心管本体を接続ねじ部のねじ込み方向およびその逆方向に回動操作することで、先にねじ込んだ固定管を取り外したり、再びねじ込む作業を繰り返さずとも固定管側のねじ接続部の給水・給湯配管へのねじ込み固定を維持したままで前記両接続部の位置合わせを行えるので、所定の取付け作業を手数少なく容易かつ能率よく行うことができる。
【０００７】
また、ラチェット機構のような一方向回転クラッチ式の噛み合い機構の一方を構成するラチェッ部のような被係合部の数を多くすることにより、偏心管本体と固定管とがねじ込み方向に一体回動するときの単位角度範囲を｛Ｎ（被係合部の数）／３６０｝と小さくすることが可能であり、これによって、現場の障害物等の存在により偏心管本体の回動作業スペースが制約されている場合でも、偏心管本体をその制約されたスペース内でねじ込み方向とその逆方向とに交互に繰り返し回動することで、固定管側の接続ねじ部を給水・給湯配管に容易にねじ込み固定することができるといった利点を有している。
【０００８】
しかしながら、上記した従来の混合栓用偏心管においては、一方向回転クラッチ式の噛み合い機構が、偏心管本体を固定管側の接続ねじ部のねじ込み方向と同一方向に回動させたとき固定管を同方向に一体に回動させ、その逆方向に回動させたとき固定管に関係なく偏心管本体のみが回動するといった具合に、クランク状形態の偏心管を用いて給水・給湯配管と混合栓本体を接続する際の取付け作業手数の削減化及び制約スペース内でのねじ込み固定作業の容易化に寄与する機能を発揮するだけであって、例えば偏心管本体の第１水路部に内蔵されているストレーナの点検や交換、清掃あるいは固定管側に内蔵されている流量調整栓部の点検や補修等々といった各種メンテナンスを行うために、当該クランク状形態の偏心管を給水・給湯配管及び混合栓本体から接続解除する取り外し作業、特に給水・給湯配管にねじ込み固定した固定管側のねじ接続部を弛ませて配管から取り外す作業時に、取付け時と同様な機能を期待することができない。したがって、上述のような各種メンテナンス時には、別に準備した特殊な工具等を用いて固定管のねじ接続部を給水・給湯配管から弛ませて取り外すといった面倒かつ手数のかかる作業を行わなければならないという問題があった。
【０００９】
本発明は上記実情に鑑みてなされたもので、給水・給湯配管への取付け作業時だけでなく、各種メンテナンスを行うための取り外し作業時にも、作業手数の削減化及び制約スペース内での作業の容易化に寄与する機能を発揮させることができる混合栓用偏心管を提供することを目的としている。
【００１０】
【課題を解決するための手段】
上記目的を達成するために、本発明に係る混合栓用偏心管は、一端側に混合栓本体に対する接続部を有するとともに、その接続部の軸線に対して直交する方向に延びる第１水路部を有する偏心管本体と、一端側に給水・給湯配管にねじ込み固定される接続ねじ部を有するとともに、その接続ねじ部の軸線の方向に延びる第２水路部を有する固定管とを備え、前記偏心管本体の他端側に前記固定管の他端側を第１水路部の軸線と第２水路部の軸線とが互いに直交し、かつ、両水路部が連通する状態に嵌合保持させることにより、偏心管本体を固定管に対して前記第２水路部の軸線の周りに回動可能に組み付けてなる混合栓用偏心管において、
前記固定管の他端外周部の全域には周方向に等間隔で複数の被係合部が形成されている一方、前記偏心管本体の他端部には前記被係合部に互いに異なる方向から弾性的に係合する二つの係合爪が被係合部に対して係合切換可能に設けられており、一方の係合爪を被係合部の一つに弾性係合させた第１状態では、偏心管本体を第２水路部の軸線の周りで前記接続ねじ部のねじ込み方向と同一方向に回動させたとき、固定管が同方向に一体に回動し、また、前記接続ねじ部の弛み方向と同一方向に回動させたとき、偏心管本体のみが回動し、かつ、他方の係合爪を被係合部の一つに弾性係合させた第２状態では、偏心管本体を第２水路部の軸線の周りで前記接続ねじ部の弛み方向と同一方向に回動させたとき、固定管が同方向に一体に回動し、また、前記接続ねじ部のねじ込み方向と同一方向に回動させたとき、偏心管本体のみが回動するように構成されていることを特徴とするものである。
【００１１】
上記のごとき構成を有する本発明によれば、給水・給湯配管と混合栓本体を現場接続する際の第一作業、つまり、固定管側の接続ねじ部を給水・給湯配管にねじ込む時は、二つの係合爪のうち一方の係合爪を被係合部の一つに係合させた第１状態とした上、偏心管本体を前記接続ねじ部のねじ込み方向と同一方向（以下、単にねじ込み方向という）に回動させることにより、固定管が同方向に一体回動して接続ねじ部が配管にねじ込み固定される。このとき、偏心管本体の回動スペースが障害物等の存在によって制約される場合は、その制約されたスペース内での回動を一旦中断して、該偏心管本体をねじ込み方向とは逆方向（以下、単に弛み方向という）に回動させる。この弛み方向への回動時には係合爪が被係合部から係合解除されるので、それまでの接続ねじ部のねじ込みは維持されたまま偏心管本体のみが弛み方向に回動することになる。そして、制約スペース内での弛み方向への回動により障害物等との干渉を回避できる位置に達した時点で、再び偏心管本体をねじ込み方向に回動させると、前記係合爪が被係合部の一つに係合した状態となって、固定管が一体回動して配管へのねじ込みが継続される。この作業の繰り返しによって、制約されたスペース内であっても、固定管の配管に対するねじ込み固定を容易に行うことができる。
【００１２】
上記のようにして固定管の接続ねじ部の配管に対する所定のねじ込みが完了した時点で、次に給水・給湯配管と混合栓本体を接続する際の第二作業、つまり、偏心管本体の一端側の接続部を混合栓本体に袋ナット等を介して接続する作業を行うが、このとき、偏心管本体の接続部の位置と混合栓本体側の接続部の位置とが合致していなかった場合は、偏心管本体を固定管側の接続ねじ部の弛み方向に回動させる。この弛み方向への回動時には係合爪が被係合部から係合解除されるので、前記接続ねじ部の配管に対するねじ込み固定は維持されたまま偏心管本体のみが弛み方向に回動され、この回動によって前記両接続部の位置を合致させることが可能であるから、固定管側の接続ねじ部の取り外し及びねじ込みを繰り返す必要がなく、両者を手数少なく容易かつ能率よく接続することができる。
【００１３】
また、上記のようにして給水・給湯配管と混合栓本体が接続された混合栓の使用状態において、既述のような各種メンテナンスを行うために、該クランク状形態の偏心管を給水・給湯配管及び混合栓本体から接続解除する取り外し作業が必要となった場合は、まず、偏心管本体の一端側接続部を混合栓本体から接続解除した上、二つの係合爪のうち他方の係合爪を被係合部の一つに係合させた第２状態とし、この状態で偏心管本体を前記接続ねじ部の弛み方向に回動させることにより、固定管が同方向に一体回動して接続ねじ部が配管から弛み外される。このときも、偏心管本体の回動スペースが障害物等の存在によって制約されている場合、その制約されたスペース内での回動を一旦中断して、該偏心管本体をねじ込み方向に回動させる。このねじ込み方向への回動時には係合爪が被係合部から係合解除されるので、それまでに弛み外された接続ねじ部がねじ込まれることなく、その弛み位置は維持されたまま偏心管本体のみがねじ込み方向に回動することになる。そして、制約スペース内でのねじ込み方向への回動により障害物等との干渉を回避できる位置に達した時点で、再び偏心管本体を弛み方向に回動させると、前記係合爪が被係合部の一つに係合した状態となって、固定管が一体回動して配管からの弛みが継続される。この作業の繰り返しによって、制約されたスペース内であっても、固定管を配管から少ない手数で容易かつ能率よく弛み外しすることができる。
【００１４】
本発明に係る混合栓用偏心管において、前記二つの係合爪をそれぞれ個別に被係合部に対して係合及び係合解除可能に構成してもよいが、特に、請求項２に記載のように、前記二つの係合爪を、支軸の周りに揺動自在に枢支された単一の揺動レバーの揺動方向の両側に形成し、この単一揺動レバーの支軸周りの揺動によって前記第１状態と第２状態とに切換操作可能に構成することが望ましい。この場合は、部品数を少なくして構造の簡単化が図れるだけでなく、単一揺動レバーを揺動操作するのみで前記第１状態と第２状態とを切り換えることが可能で、切換操作そのものを容易化、単純化することができる。
【００１５】
また、本発明において、請求項３に記載のように、前記偏心管本体の一端側の第１水路部にストレーナが交換可能に内蔵されている一方、前記固定管の他端側内部に流量調整栓部が設けられているような構成の混合栓用偏心管を対象とする場合は、それら内蔵部品に対するメンテナンスの必要頻度が高く、それだけ前記第２状態での取り外し作業機会が多くなるために、本発明における取付け、取り外し作業の容易化による有用性がより顕著である。
【００１６】
【発明の実施の形態】
以下、本発明の実施例を図面にもとづいて説明する。
図１は本発明に係る混合栓用偏心管を用いてなる湯水混合栓全体の平面図であり、同図において、１は湯水混合栓本体で、両側部に同一方向に向けて突出する状態で湯流入口２と水流入口３が形成されているとともに、中央部にはそれら流入口２，３から流入される湯、水を適宜混合してシャワー・止水・吐出の切換えが可能な流量調整バルブ４が、また、一端部には湯温調整ハンドル５が設けられている。
【００１７】
６は給湯側の偏心管、７は給水側の偏心管であり、給湯側の偏心管６は、図示省略した給湯配管と湯水混合栓本体１の湯流入口２間に亘り設置されて湯流路を形成する一方、給水側の偏心管７は、図示省略した給水配管と湯水混合栓本体１の水流入口３間に亘り設置された水流路を形成するものである。なお、これら給湯側偏心管６と給水側偏心管７とは同一の構造に構成されているため、以下においてはその一方の給水側偏心管７についてのみ詳細に説明し、給湯側偏心管６についてはそれの給水側偏心管７に該当する部分、部位に図面上、同一の符号を付して詳細な説明を省略する。
【００１８】
図２は前記給水側偏心管７の具体的な構造を示す断面図であり、この偏心管７は、大別して偏心管本体８と固定管９とを備え、全体がクランク状の形態に構成されている。偏心管本体８は筒状に形成され、その筒軸線方向の一端側には混合栓本体１に袋ナット１０を介してねじ接続可能な接続部１１が筒軸線ａに対して直交する方向への突出状態で形成されているとともに、前記筒軸線に沿う方向に延びる第１水路部１２を有し、かつ、この第１水路部１２の上流端部にはストレーナ１３がキャップ１４を介して着脱交換可能に内蔵されている。
【００１９】
一方、固定管９は、筒状に形成されてその軸線ｂが直線状に延びており、その筒軸線方向の一端部外周には給水配管にねじ込み固定される雄ねじからなる接続ねじ部１５が形成されているとともに、その筒軸線ｂに沿う方向に延びる第２水路部１６を有し、かつ、この第２水路部１６の延長線上で筒軸線方向の他端側内部には止水弁１７、該止水弁１７を弁座２８に対し遠近移動させる操作螺軸１８、該操作螺軸１８を螺合保持するナット状部材２９等から構成される流量調整栓部１９が設けられている。
【００２０】
そして、前記偏心管本体８の筒軸線方向の他端側には、前記固定管９の筒軸線方向の他端部が、第１水路部１２の軸線ａと第２水路部１６の軸線ｂとが互いに直交し、かつ、それら両水路部１２，１６が前記流量調整栓部１９を経て互いに連通するようにパッキン２０，２０を介して水密状態で嵌合保持されており、これによって、偏心管本体８が固定管９に対して前記第２水路部１６の軸線ｂの周りに回動可能に組み付けられている。
【００２１】
上記のように構成された混合栓用偏心管において、前記固定管９の他端外周部の全域には、図３〜図５に明示のように、周方向に等間隔で複数、この例では、２０個の略Ｖ形の被係合部２１…が形成されている一方、前記偏心管本体８の他端部には前記被係合部２１…に互いに異なる角度方向から係合する二つの係合爪２２，２３が設けられている。この二つの係合爪２２，２３は、偏心管本体８の周壁に連ねて形成の平坦部２４に埋め込み固定した支軸２５の周りに揺動自在に枢支された単一の揺動レバー２６の揺動方向の両側に形成されており、この揺動レバー２６を支軸２５周りに揺動操作することにより、一方の係合爪２２が被係合部２１…の一つに係合された第１状態（図３）と、他方の係合爪２３が被係合部２１…の一つに係合された第２状態（図５）とに係合切換可能に構成されている。
【００２２】
なお、前記揺動レバー２６の支軸２５上方部には、スプリングボール利用の弾性付勢機構２７が設けられており、この弾性付勢機構２７の中立点（図４）を乗り越えて揺動レバー２６が揺動することで前記第１状態と第２状態とに切り換わり、二つの係合爪２２，２３のいずれが被係合部２１…に係合されたときも、弾性付勢機構２７による弾性係合力が付与されるように構成されている。また、図中の３０は二つの係合爪２２，２３をもった揺動レバー２６の全面を被うカバーであり、揺動レバー２６の係合切換操作部２６ａ，２６ｂのいずれか一方が突出する大きさに形成されている。
【００２３】
次に、上記構成の混合栓用偏心管を用いて、給水（給湯）配管と湯水混合栓本体１とを施工現場で接続する取付け作業手順について説明する。
まず、固定管９側の接続ねじ部１５を給水（給湯）配管にねじ込む作業が行われるが、この時は、図３に示すように、揺動レバー２６を支軸２５周りで揺動させて二つの係合爪２２，２３のうち一方の係合爪２２が被係合部２１…の一つに弾性係合された第１状態とする。この状態で、偏心管本体８を第２水路部１６の軸線ｂ周りで前記接続ねじ部１５のねじ込み方向Ｐ１に回動させると、係合爪２２及び被係合部２１を介して固定管９が同方向Ｐ１に一体回動し接続ねじ部１５が配管にねじ込み固定される。このねじ込み時において、偏心管本体８の回動スペースが障害物等の存在によって制約される場合は、その制約されたスペース内での回動を一旦中断して、該偏心管本体８を弛み方向Ｐ２に回動させる。この弛み方向Ｐ２への回動時には係合爪２２が弾性付勢機構２７の弾性力に抗して被係合部２１…から係合解除されるので、それまでに配管にねじ込まれた接続ねじ部１５のねじ込みは維持されたままで偏心管本体８のみが弛み方向Ｐ２に回動することになる。そして、制約スペース内での弛み方向への回動により障害物等との干渉を回避できる位置にまで達した時点で、再び偏心管本体８をねじ込み方向Ｐ１に回動させることにより、前記係合爪２２が被係合部２１…の一つに係合した第１状態となって、固定管９が一体回動して配管へのねじ込みが継続される。この作業の繰り返しによって、制約されたスペース内であっても、固定管９の配管に対するねじ込み固定作業を容易に行うことができる。
【００２４】
上記のようにして固定管９の接続ねじ部１５の配管に対する所定のねじ込みが完了した時点で、次に偏心管本体８の一端側の接続部１１を混合栓本体１の水流入口３に袋ナット１０を介して接続する作業が行われるが、このとき、偏心管本体８の接続部１１の位置と混合栓本体１側の接続部である水流入口３の位置とが合致していないことが往々に発生する。この場合は、偏心管本体８を弛み方向Ｐ２に回動させる。この弛み方向への回動時には係合爪２２が被係合部２１から係合解除されるので、前記固定管９側の接続ねじ部１５の配管に対するねじ込み固定は維持されたまま偏心管本体８のみが弛み方向Ｐ２に回動され、この回動によって前記両接続部１１，３の位置を合致させることが可能となり、固定管９側の接続ねじ部１５の取り外し及びねじ込みを繰り返す必要がなく、両者１１，３を手数少なく容易かつ能率よく接続することができる。
【００２５】
また、上記のようにして給水（給湯）配管と混合栓本体１が偏心管７により接続された混合栓の使用状態において、例えばストレーナ１３の点検や交換、清掃あるいは固定管９側の流量調整栓部１９の点検や補修等々といった各種メンテナンスを行うために、当該クランク状形態の偏心管７を給水（給湯）配管及び混合栓から接続解除する取り外し作業が必要となった場合は、まず、偏心管本体８の一端側接続部１１を混合栓本体１の水流入口３から接続解除したうえ、図５に示すように、揺動レバー２６を支軸２５周りで揺動させて二つの係合爪２２，２３のうち他方の係合爪２３が被係合部２１…の一つに弾性係合された第２状態とする。
【００２６】
この第２状態で、偏心管本体８を弛み方向Ｐ２に回動させることにより、固定管９が同方向に一体回動して接続ねじ部１５が給水（給湯）配管から弛み外される。このときも、偏心管本体８の回動スペースが障害物等の存在によって制約されている場合、その制約されたスペース内での回動を一旦中断して、該偏心管本体８をねじ込み方向Ｐ１に回動させる。このねじ込み方向への回動時には係合爪２３が被係合部２１から係合解除されるので、それまでに弛み外された接続ねじ部１５がねじ込まれることなく、その弛み位置は維持されたまま偏心管本体８のみがねじ込み方向Ｐ１に回動することになる。そして、制約スペース内でのねじ込み方向への回動により障害物等との干渉を回避できる位置に達した時点で、再び偏心管本体８を弛み方向に回動させると、前記係合爪２３が被係合部２１の一つに弾性係合した第２状態となって、固定管９が一体回動して配管からの弛みが継続される。この作業の繰り返しによって、制約されたスペース内であっても、固定管９を配管から弛み外して偏心管７全体を給水（給湯）配管及び混合栓本体１から少ない手数で容易かつ能率よく取り外して、所定のメンテナンスを任意に行うことができる。
【００２７】
なお、本発明は、上述した実施の形態に限定されるものでなく、その他の種々の構造変更が可能である。例えば、二つの係合爪２２，２３をそれぞれ個別の揺動レバーに設けて、これら二つの揺動レバーの選択揺動によって両係合爪２２，２３を被係合部２１…に対して係合切換え可能に構成してもよい。
【００２８】
また、上述の実施の形態では、被係合部２１…を周方向に等間隔で２０個形成することにより、偏心管本体８と固定管９とがねじ込み方向Ｐ１及び弛み方向Ｐ２に一体回動するときの単位角度範囲を（２０／３６０＝１８°）に設定したものについて説明したが、例えば被係合部２１…の数を３６個にすると、単位角度範囲は（３６／３６０＝１０°）になるといったように、被係合部２１…の数を増やせば増やすほど単位角度範囲を小さくすることが可能で、狭いスペースでの作業を一層容易なものとすることができる。
【００２９】
【発明の効果】
以上説明したように、本発明によれば、クランク状の偏心管を混合栓と給水・給湯配管との間に取付ける時は、偏心管本体を接続ねじ部のねじ込み方向およびその逆方向に回動操作することで、先にねじ込んだ固定管を取り外したり、再びねじ込む作業を繰り返さずとも固定管側のねじ接続部の給水・給湯配管へのねじ込み固定を維持したままで偏心管本体側の接続部と混合栓側の接続部の位置合わせを行えるので、所定の取付け作業を手数少なく容易かつ能率よく行うことができるだけでなく、該偏心管における構成部品、内蔵部品に対する各種メンテナンスを行う場合の取り外し時にも、特殊な工具を別に準備しなくても、二つの係合爪の被係合部に対する係合を切り換えて偏心管本体を弛み方向に回動操作するだけで、所定の取外し作業を少ない手数で容易かつ迅速に行うことができる。しかも、取付け時及び取外し時において、障害物等の存在により偏心管本体の回動作業スペースが制約されるとしても、偏心管本体をその制約されたスペース内でねじ込み方向または弛みとその逆方向とに交互に繰り返し回動することで、固定管側の接続ねじ部を給水・給湯配管に容易にねじ込み固定したり、弛み解除することができるという効果を奏する。
【００３０】
特に、請求項２に記載のような構成を採用することによって、部品数を少なくして構造の簡単化が図れるだけでなく、単一揺動レバーを揺動操作するのみで第１状態と第２状態とを切り換えることが可能で、切換操作そのものを容易化、単純化することができる。
【図面の簡単な説明】
【図１】本発明に係る混合栓用偏心管を用いてなる湯水混合栓全体の平面図である。
【図２】同上混合栓用偏心管の具体的な構造を示す断面図である。
【図３】同上混合栓用偏心管の取付け状態（第１状態）を説明するための断面図である。
【図４】同上混合栓用偏心管の取付け状態（第１状態）から取外し状態（第２状態）への切換え過渡時の状態を示す断面図である。
【図５】同上混合栓用偏心管の取外し状態（第２状態）を説明するための断面図である。
【符号の説明】
１…混合栓本体、６…給水側偏心管、７…給湯側偏心管、８…偏心管本体、９…固定管、１１…接続部、１２…第１水路部、１３…ストレーナ、１５…接続ねじ部、１６…第２水路部、１９…流量調整栓部、２１…被係合部、２２，２３…係合爪、２５…支軸、２６…揺動レバー、ａ，ｂ…軸線。
【図１】
2004285653.tif 000003
【図２】
2004285653.tif 000004
【図３】
2004285653.tif 000005
【図４】
2004285653.tif 000006
【図５】
2004285653.tif 000007